(57)【要約】【課題】空気中の浮遊塵埃を吸引可能な電気掃除機を提供する。【解決手段】操作部１５を有した先端パイプ１６と吸込具７とを繋ぐ延長管６と、延長管６の先端パイプ１６寄りに形成された連通孔２０２と、連通孔２０２と連通するように延長管６上に構成され連通孔２０２に外気を送り込む浮遊塵埃吸引電動送風機４１と、連通孔２０２を開閉する外気開閉蓋３１と、延長管６における連通孔２０２の上流側に設けられた通路開閉蓋３２と、先端パイプ１６と掃除機本体２とを繋ぐホース５と、掃除機本体２内に設けられた集塵室４と、掃除機本体２内に設けられた床面塵埃吸引電動送風機６０と、操作部１５からの入力に応じて外気開閉蓋３１、浮遊塵埃吸引電動送風機４１及び床面塵埃吸引電動送風機６０を制御する制御基板１０とを備えている。【選択図】図１
2010246632.tif 000002
【特許請求の範囲】
【請求項１】
操作部を有した先端パイプと吸込具とを繋ぐ延長管と、前記延長管の前記先端パイプ寄りに形成された連通孔と、前記連通孔と連通するように前記延長管上に構成され前記連通孔に外気を送り込む浮遊塵埃吸引電動送風機と、前記連通孔を開閉する外気開閉蓋と、前記延長管における前記連通孔よりも上流側に設けられ前記吸込具から前記先端パイプへの通気を制御する通路開閉蓋と、前記先端パイプと掃除機本体とを繋ぐホースと、前記掃除機本体内に設けられ塵埃を捕集するための集塵室と、前記掃除機本体内に設けられ吸引風を発生する床面塵埃吸引電動送風機と、前記操作部からの入力に応じて前記連通孔、前記浮遊塵埃吸引電動送風機及び前記床面塵埃吸引電動送風機を制御する制御手段とを備えた電気掃除機。
【請求項２】
操作部からの入力に応じて床面塵埃吸引電動送風機と浮遊塵埃吸引電動送風機を連動して動作させることを特徴とした請求項１記載の電気掃除機。
【請求項３】
操作部を有した先端パイプと吸込具とを繋ぐ延長管と、前記延長管に設けられ前記吸込具から前記先端パイプへの通気を制御する通路開閉蓋と、前記先端パイプと掃除機本体とを繋ぐホースと、前記掃除機本体内に設けられ塵埃を捕集するための集塵室と、前記掃除機本体内に設けられ吸引風を発生する床面塵埃吸引電動送風機と、前記掃除機本体に設けられ前記床面塵埃吸引電動送風機からの排気を排出する排気口と、前記排気口近傍の前記掃除機本体の外郭に設けられ前記集塵室に外気を送り込む浮遊塵埃吸引電動送風機と、前記操作部からの入力に応じて前記連通孔、前記浮遊塵埃吸引電動送風機及び前記床面塵埃吸引電動送風機を制御する制御手段とを備えた電気掃除機。
【請求項４】
操作部に設けられ浮遊塵埃吸引電動送風機の動作を操作する停止中浮遊塵埃吸引スイッチを備え、床面塵埃吸引電動送風機が停止中に浮遊塵埃吸引電動送風機を動作させることを特徴とした請求項１または３記載の電気掃除機。
【請求項５】
浮遊塵埃吸引電動送風機を複数個設けることを特徴とした請求項１〜４記載の電気掃除機。
【発明の詳細な説明】
【技術分野】
【０００１】
本発明は電気掃除機に関するもので、特に空気中に浮遊する浮遊塵埃を吸引する電気掃除機に関するものである。
【背景技術】
【０００２】
従来この種の電気掃除機としては、開閉蓋を備えた連通孔を延長管に設けて、その開閉蓋を開状態にして、浮遊塵埃を連通孔から吸引するものが提案されている（例えば、特許文献１参照）。
【０００３】
図５（ａ）は、従来の電気掃除機の断面構造を示す断面図であり、図５（ｂ）は図５（ａ）中の外気吸引手段２０１周辺を部分的に拡大した要部拡大図である。
【０００４】
図５（ａ）に示すように、電気掃除機１は、掃除機本体２の前面にホース５の一端を着脱自在に接続し、ホース５の一端になる差込口近傍には、受光部１１と発光部１２とから成る塵埃検知装置９を備えている。ホース５は、他端に操作部１５を有した先端パイプ１６を備えている。先端パイプ１６には延長管６を接続し、その延長管６の先端には吸込具７を接続している。
【０００５】
掃除機本体２は、内部前方に集塵室４を構成し、その集塵室４内にはホース５に連通した紙袋などを収めており、集塵室４後方には床面塵埃吸引電動送風機６０、制御基板１０、排気口８、及びコードリール１４を備えている。
【０００６】
制御基板１０は、操作部１５に設けられたスイッチ、塵埃検知装置９、床面塵埃吸引電動送風機６０、及びコードリール１４と電気的に接続されており、操作部１５のスイッチ操作に応じて電気掃除機の動作を制御する。
【０００７】
外気吸引手段２０１は、延長管６に形成された連通孔２０２と、連通孔２０２を開閉する外気開閉蓋３１と、延長管６の風路を開閉する通路開閉蓋３２とから構成される。図５（ａ）は、通路開閉蓋３２が延長管６の風路を閉じ、外気開閉蓋３１が連通孔２０２を開いている状態を示している。このようにして、吸込具７からの吸引を通路開閉蓋３２で一時的に遮断し、外気開閉蓋３１を開状態にし、連通孔２０２から室内の外気を吸引して塵埃検知装置９内を通過させることで、外気中に浮遊する花粉などの浮遊塵埃の量や大きさを識別している。
【０００８】
図５（ｂ）は、外気開閉蓋３１が連通孔２０２を閉じ、通路開閉蓋３２が開いている状態を示しており、外気を吸引せずに、吸込具７によって被掃除面上の塵埃を吸引する通常の床掃除を行う状態を示している。この外気開閉蓋３１および通路開閉蓋３２の開閉動作は操作部１５の動作に応じて制御される。
【先行技術文献】
【特許文献】
【０００９】
【特許文献１】特開２００７−６８６８４号公報
【発明の概要】
【発明が解決しようとする課題】
【００１０】
しかしながら、上記構成では、床面塵埃吸引電動送風機で発生した吸引風を浮遊塵埃の吸引に使用するため、床面の吸引力が落ちてしまう課題があった。
【００１１】
本発明は上記課題を解決するもので、床面塵埃に対する吸引性能を損なうことなく、空気中を浮遊する浮遊塵埃を吸引する電気掃除機を提供することを目的とする。
【課題を解決するための手段】
【００１２】
上記従来の課題を解決するために本発明の電気掃除機は、操作部を有した先端パイプと吸込具とを繋ぐ延長管と、前記延長管の前記先端パイプ寄りに形成された連通孔と、前記連通孔と連通するように前記延長管上に構成され前記連通孔に外気を送り込む浮遊塵埃吸引電動送風機と、前記連通孔を開閉する外気開閉蓋と、前記延長管における前記連通孔よりも上流側に設けられ前記吸込具から前記先端パイプへの通気を制御する通路開閉蓋と、前記先端パイプと掃除機本体とを繋ぐホースと、前記掃除機本体内に設けられ塵埃を捕集するための集塵室と、前記掃除機本体内に設けられ吸引風を発生する床面塵埃吸引電動送風機と、前記操作部からの入力に応じて前記連通孔、前記浮遊塵埃吸引電動送風機及び前記床面塵埃吸引電動送風機を制御する制御手段とを備えたものである。
【００１３】
これにより、浮遊塵埃吸引電動送風機によって空気中の浮遊塵埃を吸引するので、床面塵埃の吸引性能を落とすことなく集塵を行なうことが出来る為、使い勝手のよい電気掃除機を使用者に提供することが出来る。
【発明の効果】
【００１４】
本発明は、床面の塵埃吸引性能を落とすことがなく、空気中の塵埃を吸引することで使い勝手のよい電気掃除機を提供することができる。
【図面の簡単な説明】
【００１５】
【図１】（ａ）本発明の実施の形態１における電気掃除機の断面図（ｂ）図１中の外気吸引手段２０１周辺を部分的に拡大した要部拡大図
【図２】同電気掃除機の操作部の構成図
【図３】（ａ）本発明の実施の形態２における電気掃除機の断面図（ｂ）図中の外気吸引手段２０１周辺を部分的に拡大した要部拡大図
【図４】同電気掃除機の操作部の構成図
【図５】（ａ）従来の電気掃除機の断面図（ｂ）図５（ａ）中の外気吸引手段２０１周辺を部分的に拡大した要部拡大図
【発明を実施するための形態】
【００１６】
第１の発明は、操作部を有した先端パイプと吸込具とを繋ぐ延長管と、前記延長管の前記先端パイプ寄りに形成された連通孔と、前記連通孔と連通するように前記延長管上に構成され前記連通孔に外気を送り込む浮遊塵埃吸引電動送風機と、前記連通孔を開閉する外気開閉蓋と、前記延長管における前記連通孔よりも上流側に設けられ前記吸込具から前記先端パイプへの通気を制御する通路開閉蓋と、前記先端パイプと掃除機本体とを繋ぐホースと、前記掃除機本体内に設けられ塵埃を捕集するための集塵室と、前記掃除機本体内に設けられ吸引風を発生する床面塵埃吸引電動送風機と、前記操作部からの入力に応じて前記連通孔、前記浮遊塵埃吸引電動送風機及び前記床面塵埃吸引電動送風機を制御する制御手段とを備えた電気掃除機とするものであり、床面塵埃吸引電動送風機の吸引風を使用することなく、空気中の浮遊塵埃を吸引することが可能となるため、空気中の塵埃吸引による床面掃除の性能低下が起こらないまま、空気中の塵埃除去も可能となり、使い勝手のよい電気掃除機を提供することが出来るものである。
【００１７】
第２の発明は、特に、第１の発明の操作部からの入力に応じて床面塵埃吸引電動送風機と浮遊塵埃吸引電動送風機を連動して動作させることを特徴としたもので、床面塵埃吸引電動送風機への入力を下げるときに、浮遊塵埃吸引電動送風機への入力も連動して低下さ
せることができるので、浮遊塵埃吸引電動送風機の音が相対的に大きくなることを防止し、騒音による使用者の不快感を軽減することができる、使い勝手のよい電気掃除機を提供することが出来る。
【００１８】
第３の発明は、操作部を有した先端パイプと吸込具とを繋ぐ延長管と、前記延長管に設けられ前記吸込具から前記先端パイプへの通気を制御する通路開閉蓋と、前記先端パイプと掃除機本体とを繋ぐホースと、前記掃除機本体内に設けられ塵埃を捕集するための集塵室と、前記掃除機本体内に設けられ吸引風を発生する床面塵埃吸引電動送風機と、前記掃除機本体に設けられ床面塵埃吸引電動送風機からの排気を排出する排気口と、前記排気口近傍の前記掃除機本体の外郭に設けられ前記集塵室に外気を送り込む浮遊塵埃吸引電動送風機と、前記操作部からの入力に応じて前記連通孔、前記浮遊塵埃吸引電動送風機及び前記床面塵埃吸引電動送風機を制御する制御手段とを備えた電気掃除機とするものであり、床面塵埃吸引電動送風機の吸引風を使用しなくても、掃除機本体からの排気中に含まれる塵埃を吸引することが可能となる、使い勝手のよい電気掃除機を提供することが出来る。
【００１９】
第４の発明は、特に、第１または第３の発明の操作部に設けられ浮遊塵埃吸引電動送風機の動作を操作する停止中浮遊塵埃吸引スイッチを備え、床面塵埃吸引電動送風機が停止中に浮遊塵埃吸引電動送風機を動作させることを特徴としたもので、床面塵埃吸引電動送風機が停止したときには空気清浄機として使用することが出来る為、電気掃除機と空気清浄機の機能を兼ね備える、使い勝手のよい電気掃除機を提供することが出来る。
【００２０】
第５の発明は、浮遊塵埃吸引電動送風機を複数個設けることを特徴としたもので、空気中の塵埃を吸引する能力を、浮遊塵埃吸引電動送風機を設けた個数分倍化して上昇させることが可能となり、より使い勝手のよい電気掃除機を提供できるものである。
【００２１】
以下、本発明の実施の形態について、図面を参照しながら説明する。なお、この実施の形態によりこの発明が限定されるものではない。
【００２２】
（実施の形態１）
本発明の第１の実施の形態における電気掃除機について、図面を用いて説明する。図１（ａ）は実施の形態１の電気掃除機の断面図であり、図１（ｂ）は図１（ａ）中の外気吸引手段２０１周辺を部分的に拡大した要部拡大図であり、図２は同電気掃除機における操作部の構成図である。なお、従来と同一構成の部品については同一符号を付して、説明を省略する。
【００２３】
図１（ａ）示すように、電気掃除機１は、掃除機本体２の前面にホース５の一端を着脱自在に接続し、ホース５の一端になる差込口近傍には、受光部１１と発光部１２とから成る塵埃検知装置９を備えている。ホース５は、他端に操作部１５を有した先端パイプ１６を備えている。先端パイプ１６には延長管６を接続し、その延長管６の先端には吸込具７を接続している。
【００２４】
掃除機本体２は、内部前方に集塵室４を構成し、その集塵室４内にはホース５に連通した紙袋などを収めており、吸引した塵埃を捕集する。集塵室４後方には、吸引風を発生する床面塵埃吸引電動送風機６０、制御手段である制御基板１０、掃除機本体２の排気を排出する排気口８、及びコードリール１４を備えている。
【００２５】
制御基板１０は、操作部１５に設けられたスイッチ、塵埃検知装置９、床面塵埃吸引電動送風機６０、浮遊塵埃吸引電動送風機４１及びコードリール１４と電気的に接続されており、操作部１５のスイッチ操作に応じて電気掃除機の動作を制御する。
【００２６】
外気吸引手段２０１は、延長管６に形成された連通孔２０２と、連通孔２０２を開閉する外気開閉蓋３１と、延長管６の風路を開閉する通路開閉蓋３２とから構成される。そして、浮遊塵埃吸引電動送風機４１は、連通孔２０２の操作部１５寄りに隣接して設けてあり、浮その装置内には小型の床面塵埃吸引電動送風機（図示せず）を内蔵しており、浮遊塵埃を含んだ外気を吸引する吸引風を発生する。
【００２７】
図２は操作部１５近傍の構成を示す構成図であり、操作部１５は床面塵埃吸引電動送風機６０の吸引力の強弱や切を制御する床面塵埃吸引力操作スイッチ４２を配置しており、制御基板１０と電気的に接続されている。そして、操作部１５のスイッチ操作に応じて、外気開閉蓋３１および通路開閉蓋３２の開閉動作、浮遊塵埃吸引電動送風機４１の動作、および床面塵埃吸引電動送風機６０の動作が制御される。
【００２８】
以上のように構成された電気掃除機の動作について、図１及び図２を用いて説明する。
【００２９】
使用者が操作部１５の床面塵埃吸引力操作スイッチ４２を操作することによって、床面塵埃吸引電動送風機６０が動作して吸引風を発生し、床面の塵埃を吸引することで部屋の掃除が可能となる。このときに外気開閉蓋３１と通路開閉蓋３２は両方が開いており、同時に浮遊塵埃吸引電動送風機４１が動作し、外気の吸引を開始する。
【００３０】
床面塵埃吸引電動送風機６０の吸引風により、吸込具７と連通孔２０２から空気が吸引され、吸込具７が床面上に落ちている塵埃を吸引し、浮遊塵埃吸引電動送風機４１が吸引した浮遊塵埃を連通孔２０２から延長管６へと送り込み、掃除作業を行なうことができる。
【００３１】
以上の動作によって、床面塵埃に対する吸引力を落とすことなく、空気中の浮遊塵埃を吸引することが出来る為、使い勝手のよい電気掃除機を提供することが可能となる。
【００３２】
また、本実施の形態の電気掃除機では、操作部１５の床面塵埃吸引力操作スイッチ４２を「弱」に操作して床面塵埃吸引電動送風機６０の吸引力を下げたい時、操作部１５から制御基板１０へ信号を送って床面塵埃吸引電動送風機６０への入力を低下させて回転数を低下させると共に、浮遊塵埃吸引電動送風機４１への入力を連動して低下させて、浮遊塵埃吸引電動送風機４１内の床面塵埃吸引電動送風機（図示せず）の回転数を下げる。
【００３３】
一般に、電気掃除機の騒音は床面塵埃吸引電動送風機６０の動作音が主因となるが、床面塵埃吸引電動送風機４１の回転数を落とした場合は、床面塵埃吸引電動送風機６０の騒音によって隠れていた音も耳障りになり、場合によっては不快音となる。特に、浮遊塵埃吸引電動送風機４１を延長管６のように使用者の近くに配置した場合は、浮遊塵埃吸引電動送風機４１から発生する音にも気を配る必要がある。
【００３４】
従って床面塵埃吸引電動送風機６０の回転数を落としたときに浮遊塵埃吸引電動送風機４１の回転数も同時に落とすことによって、浮遊塵埃吸引電動送風機４１の騒音を抑制して静音化することが可能となり、使い勝手のよい電気掃除機を提供することが可能となる。
【００３５】
（実施の形態２）
本発明の第２の実施の形態における電気掃除機について、図３及び図４をもとに説明する。図３（ａ）は実施の形態２の電気掃除機の断面図であり、図３（ｂ）は図３（ａ）中の外気吸引手段２０１周辺を部分的に拡大した要部拡大図であり、図４は同電気掃除機における操作部の構成図である。なお、上記実施の形態と同一部分については同一符号を付してその説明を省略する。
【００３６】
図３に示すように、掃除機本体２の後方の外郭には排気口８が有り、排気口８は掃除機本体２内後方に配置された床面塵埃吸引電動送風機６０から出た排気を外部へと排出する。浮遊塵埃吸引電動送風機４１は、排気口８近傍の掃除機本体２の外郭に配置されており、掃除機本体２の差込口に繋がる風路を有しており、排気口８近傍の外気を吸い込んで集塵室４へ送り込むように構成されている。また、浮遊塵埃吸引電動送風機４１は、制御基板１０と電気的に接続されており、制御基板１０からの入力に応じて動作する。
【００３７】
図４に示すように、操作部１５には床面塵埃吸引電動送風機６０が停止中に押すことで浮遊塵埃吸引電動送風機４１を動作させる、停止中浮遊塵埃吸引スイッチ４３が備えられている。
【００３８】
以上のように構成された電気掃除機の動作について、図面を用いながら説明する。
【００３９】
使用者が操作部１５の床面塵埃吸引力操作スイッチ４２を操作すると、操作部１５からの信号に応じて制御基板１０から床面塵埃吸引電動送風機６０へ入力が与えられ、床面塵埃吸引電動送風機６０が動作する。すると、床面塵埃吸引電動送風機６０は吸引風を発生し、床面上の塵埃を吸引することで、部屋の掃除が可能となる。これと同時に、浮遊塵埃吸引電動送風機４１が動作し、浮遊塵埃吸引電動送風機４１は排気口８近傍の空気中の塵埃を吸引して、集塵室４へと送りこんで捕集する。
【００４０】
電気掃除機１の排気に含まれる塵埃の量を減らす為には、一般的に排気側にフィルターを備えることで排気中の塵埃の量を減らすことが多い。しかしながら、塵埃除去の効果が高いフィルターほど排気圧損が大きく、フィルターの塵埃除去効果を高めれば高めるほど排気圧損が大きくなり、吸引力の低下につながってしまう。
【００４１】
そこで本発明では、電気掃除機１の排気を浮遊塵埃吸引電動送風機４１でもう一度吸引して、繰り返し排気を清浄化することで、排気圧損を大きくせずに排気中の塵埃を除去することが可能となるため、使い勝手のよい電気掃除機を提供することが可能となる。
【００４２】
また、使用者が操作部１５の「切」スイッチを押して床面塵埃吸引電動送風機６０を停止し、掃除作業を中止している際中に操作部１５の停止中浮遊塵埃吸引スイッチ４３を押すと、外気開閉蓋３１と通路開閉蓋３２両方が閉じ、同時に浮遊塵埃吸引電動送風機４１が作動するようになっている。この動作によって、浮遊塵埃吸引電動送風機４１は、掃除をしない時にも室内の浮遊塵埃を吸引して、室内の空気を清浄化することができ、電気掃除機と空気清浄機の両方の機能を発揮する、使い勝手のよい電気掃除機を使用者に提供できる。
【００４３】
また、浮遊塵埃吸引電動送風機４１は複数個設けた場合、例えば、掃除機本体２の外郭の右側面と左側面に１個ずつ設けると、浮遊塵埃を捕集する能力は２倍になり、更に掃除機本体２の頂部に１個追加すると、浮遊塵埃を捕集する能力は３倍になるというように、空気中の浮遊塵埃を捕集する能力を倍化するように向上することができる
【産業上の利用可能性】
【００４４】
以上のように、本発明にかかる電気掃除機は、掃除室内における外気に浮遊した塵埃を、掃除機本来の機能である床面塵埃の吸引性能を落とすことなく集塵可能であり、床面だけではなく空気中の汚れも除去できる電気掃除機として有効である。
【符号の説明】
【００４５】
１  電気掃除機
２  掃除機本体
４  集塵室
５  ホース
７  吸込具
８  排気口
１０  制御基板（制御手段）
１５  操作部
１６  先端パイプ
３１  外気開閉蓋  
３２  通路開閉蓋  
４１  浮遊塵埃吸引電動送風機
４２  床面塵埃吸引力操作スイッチ
４３  停止中浮遊塵埃吸引スイッチ
６０  床面塵埃吸引電動送風機
２０１  外気吸引手段
２０２  連通孔
【図１】
2010246632.tif 000003
【図２】
2010246632.tif 000004
【図３】
2010246632.tif 000005
【図４】
2010246632.tif 000006
【図５】
2010246632.tif 000007